(57)【要約】【課題】従来の薄型コイルでは、薄型化や電気的な特性に限界があった。【解決手段】端子台２２と、銅板コイル１４と、端子１２と、２つのＵコア１３と、からなる薄型コイル１１であって、第１のコイルパターン部１６ａと、第２のコイルパターン部１６ｂとは、共に同じ回転方向である薄型コイル１１とすることで、第１のコイルパターン部１６ａと第２のコイルパターン部１６ｂとを、接続部１７によって最短距離で接続できるため、薄型コイル１１の更なる薄型化と電気特性を高める。【選択図】図１
2010161258.tif 000002
【特許請求の範囲】
【請求項１】
端子台と、この端子台上に固定した銅板コイルと、前記銅板コイルの一部を折曲げて、前記端子台より突き出してなる端子と、前記銅板コイルに磁脚を挿入した２つのＵコアと、からなる薄型コイルであって、
前記銅板コイルは、第１、第２のコイルパターン部と、前記第１、第２のコイルパターン部とを接続する接続部と、を有し、
前記第１のコイルパターン部と、前記第２のコイルパターン部とは、共に同じ回転方向である薄型コイル。
【請求項２】
端子台と、この端子台上に固定した銅板コイルと、前記銅板コイルの一部を折曲げて、前記端子台より突き出してなる端子と、前記銅板コイルに磁脚を挿入した２つのＵコアと、からなる薄型コイルであって、
前記銅板コイルは、第１、第２のコイルパターン部と、前記第１、第２のコイルパターン部とを接続する接続部と、を有し、
前記第１のコイルパターン部の前記第２のコイルパターン部側の巻き数は、反対側の巻き数より１つ多く、
かつ、前記第２のコイルパターン部の前記第１のコイルパターン部の巻き数は、反対側の巻き数より１つ多い、薄型コイル。
【請求項３】
前記銅板コイルの上に、樹脂フィルムを介して、巻線コイルを積層した請求項１もしくは２のいずれか一つに記載の薄型コイル。
【請求項４】
前記接続部の一部以上を、前記第１、第２のコイルパターンの配線幅より広くした請求項１もしくは２のいずれか一つに記載の薄型コイル。
【請求項５】
前記端子台の上に、凸部を設け、
前記接続部にスリットを設け、
前記スリットに、前記凸部を挿入した請求項１もしくは２のいずれか一つに記載の薄型コイル。
【請求項６】
銅板を加工して、第１、第２のコイルパターン部と、この第１、第２のコイルパターン部を接続する接続部と、を有する銅板コイルを用意する工程と、
前記第１、第２のコイルパターン部の一部を、共に折り曲げて第１、第２の隙間を設ける工程と、
前記銅板コイルを、端子台の上に固定する工程と、
第１のＵコアの２つの磁脚の内の一つを、前記第１の隙間に挿入する工程と、
第２のＵコアの２つの磁脚の内の一つを、前記第２の隙間に挿入する工程と、
を有する薄型コイルの製造方法。
【請求項７】
端子台と、この端子台上に固定した銅板コイルと、前記銅板コイルの一部を折曲げて、前記端子台より突き出してなる端子と、前記銅板コイルに磁脚を挿入した２つのＵコアと、からなる薄型コイルであって、前記銅板コイルは、第１、第２のコイルパターン部と、前記第１、第２のコイルパターン部を接続する接続部と、を有し、かつ、前記第１のコイルパターン部と、前記第２のコイルパターン部とは、共に同じ回転方向である薄型コイルと、
前記薄型コイルを実装した回路基板と、
からなる電源。
【発明の詳細な説明】
【技術分野】
【０００１】
本発明は、薄型ディスプレイ（例えば、液晶テレビやプラズマテレビ、ＥＬテレビ等の壁かけ用のもの）等を始めとする各種電気製品に使う薄型コイルとその製造方法とこれを用いた電源に関するものである。
【背景技術】
【０００２】
薄型テレビ（プラズマテレビ、液晶テレビ、ＥＬテレビ等）では、画面の大型化と共に、更なる薄型化が求められている。そしてこれら電気製品の電源回路等に使われるコイルやトランスには、更なる薄型化が望まれている。
【０００３】
次に特許文献１で提案された従来のコイルについて、図１０を用いて説明する。図１０は、平板状のコイルを複数個、平面方向に並べてなるインダクタンス部品を示す。図１０のコイルは、金属薄板を一体に打ち抜いて、蛇行形状やうず巻き等の湾曲形状に形成された導体を有している。図１０において、インダクタンス部品１は、複数の端子２と、複数のインダクタンス部３と、中間端子４とを有している。また複数のインダクタンス部３は、外装部材５で保護されている。しかし図１０に示すインダクタンス部品では、薄型ディスプレイに使われるチョークコイルやトランスに利用することができなかった。
【０００４】
次に特許文献２で提案された従来のコイルについて、図１１を用いて説明する。図１１は、平面上のコイルを複数個、平面方向に並べた様子を示す平面図である。スパイラルコイル６は、二つのコイル部７ａ、７ｂと、この間をつなぐ接続部８と、から構成されている。またコイル部７ａ、７ｂの一部には、端子２を形成している。そして特許文献２の場合、図１１に示すスパイラルコイル６を、接続部８を用いて、互いに略平行になるように（あるいはコの字型に、あるいは対面または重ねられた構造）折り曲げることで、コイル部７ａ、７ｂの発生磁束を同一方向とするものである。
【特許文献１】特開２０００−９１１３５号公報
【特許文献２】特開２００３−２６４１１０号公報
【発明の開示】
【発明が解決しようとする課題】
【０００５】
しかし図１０や図１１等で提案された従来のコイル部品では、チョークコイルやトランスに利用するだけの基本特性が得られず、更に薄型ディスプレイの壁掛け化に対応する薄型化も難しかった。
【０００６】
本発明は、特に、一枚の平板状の金属板を打ち抜いてなる銅板コイルを、平面方向に複数個並べることで、チョークコイルやトランスに利用するだけの基本特性を得ると共に、薄型ディスプレイの壁掛け化に対応する薄型化を実現しようとするものである。
【課題を解決するための手段】
【０００７】
上記課題を解決するために、本発明は、端子台と、この端子台上に固定した銅板コイル（なお銅板コイルは平面状とすることで薄型化が可能となる）と、前記銅板コイルの一部を折曲げて、前記端子台より突き出してなる端子と、前記銅板コイルに磁脚を挿入した略平行に並べた２つのＵコアと、からなる薄型コイルであって、前記銅板コイルは、第１、第２のコイルパターン部と、前記第１、第２のコイルパターン部とを接続する接続部と、を有し、前記第１のコイルパターン部と、前記第２のコイルパターン部とは、共に同じ回転方向である薄型コイルとするものである。
【発明の効果】
【０００８】
本発明によって、薄型コイルの更なる高特性化や薄型化が可能となる。さらに本発明の薄型コイルを用いることで、薄型トランス、薄型インダクタ、薄型チョーク等の各種薄型コイルやこの薄型コイルを用いた薄型電源や各種民生機器を製造することができる。
【発明を実施するための最良の形態】
【０００９】
なお本発明の実施の形態に示された図面は模式図であり、各位置関係を寸法的に正しく示したものではない。
【００１０】
（実施の形態１）
以下、本発明の実施の形態１について、図１を用いて具体的に説明する。
【００１１】
図１（Ａ）（Ｂ）は、それぞれ実施の形態１における薄型コイルの斜視図と、薄型コイルに内蔵される銅板コイルの斜視図を示す。
【００１２】
図１（Ａ）（Ｂ）において、１１は薄型コイル、１２は端子、１３ａ、１３ｂは共にＵコア、１４は銅板コイル、１５は折曲げ部、１６ａは第１のコイルパターン部、１６ｂは第２のコイルパターン部、１７は接続部である。なおＵコア１３ａ、１３ｂは、それぞれ第１のＵコア１３ａ、第２のＵコア１３ｂとしても良い。また必要に応じて、第１のＵコア１３ａ、第２のＵコア１３ｂの形状を異ならせても良い。またＵコア１３ａ、１３ｂはそれぞれ、後述する図２で示すように、上下各一つずつを重ねてなるものである。そのため本発明ではＵコア１３ａ、１３ｂは、それぞれ２個のＵコアを上下に組み合わせたものとしている。
【００１３】
図１（Ａ）に示す薄型コイル１１は、２つのＵコア１３ａ、１３ｂ（なお上下をカウントするとＵコア１３ａは合計２個のＵコアから構成されていることにもなるが、本発明においては上下一組で一つのＵコアを構成するものと数える）を有している。
【００１４】
図１（Ｂ）に示すように、銅板コイル１４は、折曲げ部１５と、第１、第２のコイルパターン部１６ａ、１６ｂと、接続部１７と、から構成されている。そして図１（Ｂ）に示す銅板コイル１４における折曲げ部１５は、図１（Ａ）に示す薄型コイル１１における端子１２に相当する。なお薄型コイル１１は、端子１２を介して、回路基板（図示していない）等に接続される。
【００１５】
図１（Ａ）（Ｂ）において、一つの薄型コイル１１において、複数のＵコア１３を設けているのは、Ｕコア１３を複数に分割することで、コイルの薄型化を行うためである。また銅板コイル１４は、一方の折曲げ部１５から始まって、他方の折曲げ部１５まで、あたかも一筆書きのような配線としている。すなわち薄型コイル１１に内蔵する銅板コイル１４は、「折曲げ部１５」〜「第１のコイルパターン部１６ａ」〜「接続部１７」〜「第２のコイルパターン部１６ｂ」〜「折曲げ部１５」と、一枚の銅板を一筆書き状（更にその一部は渦巻状）に形成している。
【００１６】
なお図１において、端子１２は、１次側あるいは２次側等の用途に応じて使い分ければ良い（なお後述する図９では、２次側端子としている）。また薄型コイル１１をチョークコイルとしても良い。
【００１７】
なお銅板コイル１４は、市販の銅板（厚み０．２ｍｍ以上、５．０ｍｍ以下が望ましい、厚み０．２ｍｍ未満の場合、強度が低下する場合がある。また５．０ｍｍを超えると、金型やレーザー加工等が難しい場合がある）を、金型等で打ち抜いたものを用いることが望ましい。また銅板の打ち抜き時にバリが発生した場合、バリ取りを行うことが望ましい。またＣ面カット（Ｃ面カットとは、面と面とが垂直にぶつかっている稜線部部分を４５度でカットする面取り）を行っても良い。Ｃ面カットは、０．１ｍｍ以上とする。Ｃ面カットの量が０．１ｍｍ未満の場合、ばらつきが発生しやすくなる場合がある。
【００１８】
図２は、薄型コイル１１の内部構造を示す分解斜視図である。図２において、１８はカバー、１９ａ、１９ｂは孔、２０は樹脂フィルム、２１は巻線コイル、２２は端子台、２３は鍔、２４ａ、２４ｂは側面部、２５は第１の溝部である。２６は第２の溝部、２７は磁脚、２８は背面磁路である。Ｕコア１３は、背面磁路２８と、その両側に設けた２つの磁脚２７と、から構成されたＵ型コアとしている。これはＵコア１３を一般的なＥ型コアとするのではなくて、Ｕコア１３をＵ型コアとすることで、更なる薄型化を可能にする。２９はスリット、３０は凸部である。凸部３０にスリット２９を挿入し、位置決めする。
【００１９】
また後述する図９（Ｂ）で示すように、第２の溝部２６を利用して一次側端子３６を、第１の溝部２５を利用して二次側端子３７を設ける。
【００２０】
図２において、一つの薄型コイル１１に設けたＵコア１３は、合計４個（上下一つずつのペアを、平面方向に左右２ペアで合計４個）としている。
【００２１】
カバー１８には、銅板コイル１４の一部である折曲げ部１５を挿入するための孔１９ａを設けている。またカバー１８には、Ｕコア１３の一部（例えば、磁脚２７）を挿入するための孔１９ｂを設けている。樹脂フィルム２０は、巻線コイル２１の上下面に設けており、これは巻線コイル２１に１次側電圧を印加した場合の安全性を高めるためである。また樹脂フィルム２０にも、銅板コイル１４の一部である折曲げ部１５を挿入するための孔１９ａを設けている。
【００２２】
なお巻線コイル２１には、三層被覆線や強化絶縁線を使うことが望ましい。こうすることで薄型コイル１１を、トランスとした場合、巻線コイル２１を１次側入力とすることができる。なお薄型コイル１１を用いて、チョークコイルを作成する場合は、巻線コイル２１が不要となることは言うまでも無い。このように本発明の薄型コイル１１は、使用目的に応じて、薄型チョークや薄型トランスと変更できる。なお薄型チョークや薄型トランスであっても、銅板コイル１４やＵコア１３、端子台２２等の形状を共通化することで、生産性を高められる。
【００２３】
端子台２２には、鍔２３を設けている。また端子台２２の、第１の溝部２５を設けた逆側の面（あるいは辺）に、第２の溝部２６を設けているが、この第２の溝部２６に金属製のピン等を打ち込み巻線コイル２１の一端を接続することができる。例えば、第１の溝部２５を利用して一次側の端子を、第２の溝部２６を利用して二次側の端子を、それぞれ設けることで、回路パターンの設計を助ける。
【００２４】
図３（Ａ）〜（Ｄ）は、共に薄型コイル１１を構成する各部材を個別に説明する斜視図である。図３（Ａ）〜（Ｄ）において、カバー１８の側面部２４ａと、端子台２２の側面部２４ｂとが、互いに嵌合する構造としている。このように、カバー１８の側面部２４ａと端子台２２の側面部２４ｂ等を、嵌合することで、薄型コイル１１の組み立て作業性を高めている。
【００２５】
なお図２（更には後述する図４（Ｂ）や図６（Ｂ））において、銅板コイル１４の一部（例えば、コイルパターン部１６ａ、１６ｂの各々の略中央部、あるいはその一部）を折り曲げて端子１２としているが、この端子１２を折り曲げてなる隙間部分（例えば、後述する図４（Ａ）の斜線部３１）に、Ｕコア１３の磁脚２７のうちの一つを挿入している。なお複数のＵコア１３を並べる場合、図２に示すように、互いに遠い側の磁脚２７を、折り曲げてなる隙間部分に挿入することが望ましい。これは薄型コイル１１の実装面積を小さくするためである。
【００２６】
そしてコイルパターン部１６ａ、１６ｂの略中央部（あるいはその一部）を、共に折り曲げて２つの隙間（例えば、後述する図４（Ａ）の斜線部３１）を設け、この隙間に、Ｕコア１３ａ、１３ｂの磁脚２７を挿入する。
【００２７】
以上のように、銅板を金型やレーザー等で加工して銅板コイル１４を作成する工程と、前記銅板コイル１４を、端子台２２の上に固定する工程と、前記銅板コイル１４の一部を折り曲げ、端子１２を形成する工程と、Ｕコア１３の２つの磁脚２７の内の一つを、銅板コイル１４の一部を折り曲げて端子１２とした隙間部分に挿入する工程と、を有することで、薄型コイル１１を製造することができる。
【００２８】
図３（Ａ）は、薄型コイル１１を構成するカバー１８の斜視図である。図３（Ａ）における孔１９ａは、銅板コイル１４の折曲げ部１５を挿入し、端子１２とするためのものである。図３（Ａ）における孔１９ｂは、Ｕコア１３を挿入するための孔である。
【００２９】
図３（Ｂ）は、樹脂フィルム２０の斜視図である。図３（Ｂ）に示すように、樹脂フィルム２０には、銅板コイル１４の折曲げ部１５を挿入するための孔１９ａや、Ｕコア１３の一部（例えば、磁脚２７）を挿入するための、孔１９ｃを設けている。
【００３０】
図３（Ｃ）は、端子台２２の斜視図である。図３（Ｃ）に示すように、端子台２２の一部には、銅板コイル１４の一部を折曲げてなる折曲げ部１５を挿入する孔１９ａを設けている。端子台２２に、折曲げ部１５を挿入する孔１９ａを設けることで、薄型コイル１１における端子１２の突き出し方向を下面側に変更できる。また端子台２２の一部に、磁脚２７を挿入するための孔１９ｄを設けている。また端子台２２の一部には、鍔２３を設けている。
【００３１】
図３（Ｃ）の端子台２２の一部（例えば裏面側）に設けた第１の溝部２５は、銅板コイル１４の一部である折曲げ部１５を挿入するものである。例えば、銅板コイル１４の一部である折曲げ部１５を、端子台２２に設けた孔１９ａに挿入し、更に第１の溝部２５の中に挿入するように折曲げる。こうすることで薄型コイル１１の端子１２を、薄型コイル１１の一側面側に設ける（あるいは突出させる）ことができ、薄型コイル１１の表面実装（いわゆるＳＭＤ実装）に対応できる（図示していない）。
【００３２】
なお薄型コイル１１の一側面に端子１２（例えば、第１の溝部２５に、折曲げ部１５を挿入し、薄型コイル１１の側面方向に突き出させる）を設けた場合、巻線コイル２１の端子は前記一側面と平行する別側面に設けることが望ましい。このように、銅板コイル１４の端子１２と、巻線コイル２１の端子（図示していない）とを、互いに別々の側面に設けることが望ましい。こうすることで、銅板コイル１４の端子１２を２次側出力、巻線コイル２１の端子（図示していない）を１次側出力とした場合の、安全性を確保する。
【００３３】
次に図４（Ａ）〜（Ｃ）を用いて、銅板コイル１４の形状について説明する。
【００３４】
図４（Ａ）〜（Ｃ）は、それぞれ銅板コイル１４の形状を示す平面図、銅板コイル１４の斜視図、銅板コイル１４を端子台２２にセットした様子を示す斜視図である。
【００３５】
図４（Ａ）〜（Ｃ）において、３１は斜線部、３２は矢印である。図４（Ａ）に示す斜線部３１は、図４（Ｂ）の矢印３２に示すように、略垂直に折曲げることで、折曲げ部１５となる。
【００３６】
図４（Ａ）に示す銅板コイル１４は、折曲げ部１５となる斜線部３１と、第１、第２のコイルパターン部１６ａ、１６ｂと、複数の第１、第２のコイルパターン部１６ａ、１６ｂの間を繋ぐ接続部１７とから構成されている。なお図４（Ａ）に示す銅板コイル１４は、銅板を加工して、２つのコイルパターン部１６ａ、１６ｂと、２つのコイルパターン部１６の間を接続する接続部１７と、からなる。なお銅板から銅板コイル１４を作成するには、所定の金型で打ち抜き加工や、レーザー加工等を用いることが有用である。
【００３７】
図４（Ｂ）は、図４（Ａ）に示す銅板コイル１４の斜線部３１を、略垂直に折曲げ、第１、第２のコイルパターン部１６ａ、１６ｂとした様子を示す斜視図である。
【００３８】
図４（Ｃ）は、図４（Ｂ）に示す銅板コイル１４を、端子台２２の上に固定した様子を示す。なお図４（Ｃ）において、銅板コイル１４の一部である、折曲げ部１５は、上方向に略垂直に折曲げているが、端子台２２に設けた孔１９ａを介して、端子台２２に設けた第１の溝部２５を介して、側面方向に突き出しても良い。側面方向に銅板コイル１４の折曲げ部１５を突き出すことで、薄型コイル１１の表面実装に対応する。
【００３９】
以上のようにして、端子台２２と、この端子台２２上に固定した銅板コイル１４（なお銅板コイル１４は１層とすることで薄型化が可能となる）と、前記銅板コイル１４の一部を折曲げて、前記端子台２２より突き出してなる端子１２と、前記銅板コイル１４に磁脚２７を挿入した略平行に並べた２つのＵコア１３と、からなる薄型コイル１１であって、前記銅板コイル１４は、第１、第２のコイルパターン部１６ａ、１６ｂと、前記第１、第２のコイルパターン部１６ａ、１６ｂとを接続する接続部１７と、を有し、前記第１のコイルパターン部１６ａと、前記第２のコイルパターン部１６ｂとは、共に同じ回転方向である薄型コイル１１とすることで、第１のコイルパターン部１６ａと第２のコイルパターン部１６ｂとを、接続部１７によって最短距離で接続できるため、薄型コイル１１の電気抵抗を下げ電気特性を高める。
【００４０】
なお端子台２２は、図１（Ａ）等に示した形状に限定する必要は無く、カバー１８や樹脂フィルム２０を端子台２２（あるいは端子台２２代わり）としても良い。
【００４１】
また第１のコイルパターン部１６ａの回転方向（コイルの渦巻きが時計方向か、反時計方向か）と、第２のコイルパターン部１６ｂの回転方向は同じ方向とする。すなわち第１のコイルパターン部１６ａの渦巻きを時計回りとした場合、第２のコイルパターン部１６ｂの渦巻きも同一の時計方向とする。こうすることで、第１、第２のコイルパターン部１６ａ、１６ｂの接続部１７を最短距離とし、その導体抵抗を下げることで電気特性を高める。
【００４２】
なおコイルパターン部１６ａ、１６ｂの上に、樹脂フィルム２０を介して、巻線コイル２１を積層しても良い。こうすることで薄型コイル１１を薄型のトランスとすることができる。
【００４３】
図２等の構造から、巻線コイル２１を削除することで、チョークコイルとすることもできる。こうすることで、薄型コイル１１を薄型のチョークコイルとすることができる。
【００４４】
（実施の形態２）
実施の形態２では、実施の形態１で説明した薄型コイル１１の銅板コイル１４の巻き数を増加する場合について、図５を用いて説明する。
【００４５】
図５（Ａ）〜（Ｃ）は、それぞれ銅板コイル１４の巻き数を増加した様子を示す平面図、巻き数を増加した銅板コイル１４の斜視図、巻き数を増加した銅板コイル１４を端子台２２にセットした様子を示す斜視図である。
【００４６】
図５（Ａ）は銅板コイル１４の平面図である。図５（Ａ）における斜線部３１は、図５（Ｂ）の矢印３２に示すように、略垂直に折曲げ、折曲げ部１５とする。
【００４７】
図５（Ｂ）は、図５（Ａ）に示す銅板コイル１４の斜線部３１を、略垂直に折曲げ、第１、第２のコイルパターン部１６ａ、１６ｂとした様子を示す斜視図である。
【００４８】
図５（Ｃ）は、図５（Ｂ）に示す銅板コイル１４を、端子台２２の上に固定した様子を示す。なお図５（Ｃ）において、銅板コイル１４の一部である、折曲げ部１５は、上方向に略垂直に折曲げているが、端子台２２に設けた孔１９ａを介して、端子台２２に設けた第１の溝部２５を介して、側面方向に突き出しても良い。側面方向に銅板コイル１４の折曲げ部１５を突き出すことで、薄型コイル１１の表面実装に対応する。
【００４９】
以上のようにして、端子台２２と、この端子台２２上に固定した銅板コイル１４（１層とすることで薄型化できる）と、前記銅板コイル１４の一部を折曲げて、前記端子台２２より突き出してなる端子１２と、前記銅板コイル１４に磁脚２７を挿入した略平行に並べた２つのＵコア１３と、からなる薄型コイル１１であって、前記銅板コイル１４は、第１、第２のコイルパターン部１６ａ、１６ｂと、前記第１、第２のコイルパターン部１６ａ、１６ｂとを接続する接続部１７とを有し、前記第１のコイルパターン部１６ａの前記第２のコイルパターン部側１６ｂの巻き数（いわゆるターン数）は、反対側の巻き数より１つ多く、かつ、前記第２のコイルパターン部１６ｂの前記第１のコイルパターン部１６ａの巻き数（いわゆるターン数）は、反対側の巻き数より１つ多い、薄型コイル１１とする。
【００５０】
例えば、図５（Ａ）において、第１のコイルパターン部１６ａの、第２のコイルパターン部１６ｂ側（図上では右側に相当）のターン数は、３ターンである。また第１のコイルパターン部１６ａの、第２のコイルパターン部１６ｂの反対側（図上では左側に相当）のターン数は、２ターンである。このように、薄型コイル１１の略中心側を１ターン多くすることが望ましい。なおターン数の数え方はＵコア１３を跨ぐ部分でカウントする。これはコイルの特性に寄与する部分で、ターン数を数えるためである。
【００５１】
同様に、図５（Ａ）において、第２のコイルパターン部１６ｂの、第１のコイルパターン部１６ａ側（図上では左側に相当）は３ターン、第１のコイルパターン部１６ａの反対側は２ターンとする。このように、第１、第２のコイルパターン部１６ａ、１６ｂ共に、中心側をそれぞれ１ターン分多くする。
【００５２】
このように、第１、第２のコイルパターン部の薄型コイル１１の外側の巻き数（いわゆるターン数）を、薄型コイル１１の内側の巻き数より１ターンだけ少なくする（あるいは内側を外側より１ターン分多くする）ことで、第１、第２のコイルパターン部１６ａ、１６ｂの接続部１７を最短距離とし、その導体抵抗を下げ、電気特性を高める。
【００５３】
（実施の形態３）
実施の形態３では、実施の形態１で説明した薄型コイル１１の放熱性を高める場合について、図６を用いて説明する。
【００５４】
図６（Ａ）〜（Ｃ）は、ぞれぞれ、銅板コイル１４の放熱性を高める様子を示す平面図、放熱性を高めた銅板コイル１４の斜視図、放熱性を高めた銅板コイル１４を端子台２２にセットした様子を示す斜視図である。図６において、３３は放熱部である。
【００５５】
図６（Ａ）は、放熱性を高めた銅板コイル１４の平面図である。図６（Ａ）において、放熱部３３は、銅板コイル１４の一部に設けた放熱用のパターンである。なお図６（Ａ）において、放熱部３３は、接続部１７の一部に設けているが、放熱部３３は第１、第２のコイルパターン部１６ａ、１６ｂの一部に設けても良い。また放熱部３３は、第１、第２のコイルパターン部１６ａ、１６ｂと接続部１７の両方に設けても良い。このように、放熱部３３を、銅板コイル１４の一部に、一体化した状態で設けることで、銅板コイル１４や薄型コイル１１に発生した熱を、放熱部３３を介して、外部に放出する。このように、銅板コイル１４やＵコア１３のみならず、薄型コイル１１全体の温度を下げることによって、薄型コイル１１の電気的特性を向上させる。
【００５６】
図６（Ａ）において、放熱部３３の一部には、スリット２９を設けている。このように放熱部３３の一部に、スリット２９を設けることで、図６（Ｃ）に示すように、銅板コイル１４と、端子台２２との接触部分を増加することができ、機械的強度を高め、銅板コイル１４の位置ズレ防止が可能となる。更に放熱部３３と、巻線コイル２１とが接触されることで、薄型コイル１１自体の放熱効果を高める。
【００５７】
図６（Ａ）における斜線部３１は、図６（Ｂ）の矢印３２に示すように、略垂直に折曲げ、折曲げ部１５とする。
【００５８】
図６（Ｂ）は、図６（Ａ）に示す銅板コイル１４の斜線部３１を、略垂直に折曲げ、第１、第２のコイルパターン部１６ａ、１６ｂとした様子を示す斜視図である。
【００５９】
図６（Ｃ）は、図６（Ｂ）に示す銅板コイル１４を、端子台２２の上に固定した様子を示す。なお図６（Ｃ）において、銅板コイル１４の一部である、折曲げ部１５は、上方向に略垂直に折曲げているが、端子台２２に設けた孔１９ａを介して、端子台２２に設けた第１の溝部２５を介して、側面方向に突き出しても良い。側面方向に銅板コイル１４の折曲げ部１５を突き出すことで、薄型コイル１１の表面実装に対応する。
【００６０】
なお図６（Ａ）に示すように、接続部１７の一部以上を、コイルパターン部１６ａ、１６ｂの配線幅より広くすることが望ましい。接続部１７の一部をコイルパターン部１６ａ、１６ｂより広くすることで、この広げた部分を放熱部３３が形成できるためである。
【００６１】
なお図６（Ｃ）に示すように、端子台２２の上に、凸部３０を設け、接続部１７の一部（あるいは接続部１７の一部である放熱部３３に）にスリット２９を設け、このスリット２９に、凸部３０を挿入することで、これら部材の組み立てを容易にする。
【００６２】
（実施の形態４）
実施の形態４では、実施の形態３で説明した薄型コイル１１の放熱性を更に高める様子について、図７〜図８を用いて説明する。
【００６３】
実施の形態４では、実施の形態３で説明した放熱部３３を、薄型コイル１１の外側にまで露出させることで、更に放熱性を高めている。
【００６４】
図７（Ａ）（Ｂ）は、共に銅板コイル１４の放熱部３３を立体的にすることで、その放熱性を高める様子を示す平面図である。図７（Ａ）（Ｂ）において、３４は点線、３５は屈曲部である。
【００６５】
図６（Ａ）〜（Ｃ）の放熱部３３を大きくし、途中で折曲げたものが図７（Ａ）（Ｂ）に示す放熱部３３ａ、３３ｂに相当する。
【００６６】
図７（Ａ）において、銅板コイル１４には、放熱部３３ａ、３３ｂを設けている。ここで放熱部３３ｂとは、点線３４にあった放熱部分を、矢印３２に示すように屈曲部３５で屈曲させた部分である。このように放熱部３３の一部を、屈曲部３５を介して、屈曲させて放熱部３３ｂとすることで、放熱効果を高められる。
【００６７】
図７（Ｂ）は、図７（Ａ）の裏面側を示す。図７（Ｂ）に示すように、放熱部３３ａは、銅板コイル１４の一部に設けている。なお放熱部３３に設けたスリット２９は、放熱部３３や銅板コイル１４の位置決め用である。また点線３４に示す部分を、矢印３２に示すように、屈曲させ放熱部３３ｂとしている。
【００６８】
次に、図８（Ａ）（Ｂ）を用いて更に詳しく説明する。  
【００６９】
図８（Ａ）（Ｂ）は、それぞれ、放熱部３３ａ、３３ｂや屈曲部３５を設けた銅板コイル１４の斜視図と、銅板コイル１４を端子台２２に固定した様子を示す斜視図である。
【００７０】
図８（Ａ）は、図７（Ａ）の斜視図に相当する。図８（Ａ）に示すように、接続部１７に設けた放熱部３３ａの先端には、屈曲部３５を介して、放熱部３３ｂを設けている。
【００７１】
図８（Ｂ）は、銅板コイル１４を、端子台２２に固定した様子を示す。図８（Ｂ）に示すように、端子台２２の一辺には、端子３６を形成している。この金属四角棒をＬ字型に折り曲げてなる端子３６に、巻線コイル２１（図示していない）の一端を固定することで、薄型コイル１１をトランスとすることができる。
【００７２】
図９（Ａ）（Ｂ）は、共に放熱部３３ａ、３３ｂを有する薄型コイル１１を組み立てる様子を説明する斜視図である。図９（Ａ）（Ｂ）において、３６は一次側端子、３７は二次側端子である。巻線コイル２１の一端は、一次側端子３６に接続されている。また一次側端子３６は、第２の溝部２６を用いて固定されている。また二次側端子３７は、銅板コイル１４の折曲げ部１５から構成する。こうすることで、一次側入力（例えば、１００〜２２０Ｖ）と、二次側出力（例えば、２〜５Ｖ）との間に、大きな電圧差（更には大きな電流差）が発生する場合に対応できる。
【００７３】
図９（Ａ）は、放熱部３３ａ、３３ｂを有する銅板コイル１４の上に、Ｕコア１３を固定した様子を示す。
【００７４】
図９（Ｂ）は、放熱部３３ａ、３３ｂを有する銅板コイル１４を用いて作成した薄型コイル１１の斜視図を示す。図９（Ｂ）に示すように、放熱部３３ａを、薄型コイル１１から露出させることで、放熱性を高められる。なお放熱部３３ａの表面を、必要に応じて絶縁しても良い。例えば、表面に絶縁フィルムを設ける、絶縁樹脂を塗布する等でもよい。例えば、放熱部３３ａ側は、一次側端子３６側に比べ、発生電圧が低くできるためである。
【００７５】
また放熱部３３ａに他の放熱部材等を取り付けても良い。また放熱部３３ａを中間電位の取り出し口としても良い。このように放熱部３３ａの形状を最適化（特に、金型やレーザーで銅板コイル１４を形成する場合、限られた銅板面積から捨て板部分をできるだけ減らすようにする。そして捨て板部分の面積を減らす分だけ、放熱部３３ａ相当の面積を増加することで、銅板から銅板コイル１４を作成する場合の材料面でのコストダウンを行う。
【００７６】
なお図９（Ｂ）において、巻線コイル２１は、１次側端子３６に接続されている。また１次側端子３６は、例えば図１に示した端子１２、あるいは図９（Ａ）に示した折曲げ部１５に相当する。
【００７７】
また図９（Ａ）（Ｂ）に示すように、第２の溝２６に、一次側端子３６を設けることが望ましい。また第２の溝２６に、例えば角状の金属棒（例えば、図９（Ａ）（Ｂ）には、Ｌ字型の角状の金属棒を図示している）を挿入し、これを一次側端子３６とすることが望ましい。
【００７８】
図９（Ｂ）において、巻線コイル２１が接続された１次側端子３６と、銅板コイル１４の端子となる二次側端子３７とは、薄型コイル１１の対面する別々の辺に設けている。これにより薄型コイル１１を用いた電源やプラズマテレビ等の設計段階から、安全性を高められる。
【００７９】
以上、図９（Ｂ）に示すように、端子台２２と、この端子台２２上に固定した銅板コイル１４と、前記銅板コイル１４の一部を折曲げて、前記端子台１２より突き出してなる端子１２と、前記銅板コイル１４に磁脚２７を挿入した２つのＵコア１３と、からなる薄型コイル１１であって、前記銅板コイル１４は、第１、第２のコイルパターン部１６ａ、１６ｂと、前記第１、第２のコイルパターン部１６ａ、１６ｂを接続する接続部１７と、を有し、かつ、前記第１のコイルパターン部１６ａと、前記第２のコイルパターン部１６ｂとは、共に同じ回転方向である薄型コイル１１と、前記薄型コイル１１を実装した回路基板（図示していない）と、からなる電源（図示していない）を提供することで、薄型テレビの更なる薄型化を実現する。
【産業上の利用可能性】
【００８０】
以上のように本発明の薄型コイル及びその製造方法とこれを用いた電源によって、コイルや電源の更なる薄型化が可能になり、プラズマテレビや液晶テレビ、ＥＬテレビ等の薄型化、壁掛け化が可能となる。
【図面の簡単な説明】
【００８１】
【図１】（Ａ）（Ｂ）は、それぞれ実施の形態１における薄型コイルの斜視図、同薄型コイルに内蔵される銅板コイルの斜視図
【図２】薄型コイルの内部構造を示す分解斜視図
【図３】（Ａ）〜（Ｄ）は、共に薄型コイルを構成する各部材を個別に説明する斜視図
【図４】（Ａ）〜（Ｃ）は、それぞれ銅板コイルの形状を示す平面図、銅板コイルの斜視図、銅板コイルを端子台にセットした様子を示す斜視図
【図５】（Ａ）〜（Ｃ）は、それぞれ銅板コイルの巻き数を増加した様子を示す平面図、巻き数を増加した銅板コイルの斜視図、巻き数を増加した銅板コイルを端子台にセットした様子を示す斜視図
【図６】（Ａ）〜（Ｃ）は、それぞれ銅板コイルの放熱性を高める様子を示す平面図、放熱性を高めた銅板コイルの斜視図、放熱性を高めた銅板コイルを端子台にセットした様子を示す斜視図
【図７】（Ａ）（Ｂ）は、共に銅板コイルの放熱部を立体的にすることで、その放熱性を高める様子を示す平面図
【図８】（Ａ）（Ｂ）は、それぞれ放熱部や折曲げ部を設けた銅板コイルの斜視図、銅板コイルを端子台に固定した様子を示す斜視図
【図９】（Ａ）（Ｂ）は、共に放熱部を有する薄型コイルを組み立てる様子を説明する斜視図
【図１０】従来のコイルの構成の一例を示す斜視図
【図１１】従来のコイルを二分割した様子を示す平面図
【符号の説明】
【００８２】
１１  薄型コイル
１２  端子
１３、１３ａ、１３ｂ  Ｕコア
１４  銅板コイル
１５  折曲げ部
１６ａ、１６ｂ  コイルパターン部
１７  接続部
１８  カバー
１９ａ〜１９ｄ  孔
２０  樹脂フィルム
２１  巻線コイル
２２  端子台
２３  鍔
２４ａ、２４ｂ  側面部
２５  第１の溝部
２６  第２の溝部
２７  磁脚
２８  背面磁路
２９  スリット
３０  凸部
３１  斜線部
３２  矢印
３３、３３ａ、３３ｂ  放熱部
３４  点線
３５  屈曲部
３６  一次側端子
３７  二次側端子
【図１】
2010161258.tif 000003
【図２】
2010161258.tif 000004
【図３】
2010161258.tif 000005
【図４】
2010161258.tif 000006
【図５】
2010161258.tif 000007
【図６】
2010161258.tif 000008
【図７】
2010161258.tif 000009
【図８】
2010161258.tif 000010
【図９】
2010161258.tif 000011
【図１０】
2010161258.tif 000012
【図１１】
2010161258.tif 000013